【手続補正書】
【提出日】平成17年12月14日(2005.12.14)
【手続補正１】
【補正対象書類名】明細書
【補正対象項目名】特許請求の範囲
【補正方法】変更
【補正の内容】
【特許請求の範囲】
【請求項１】 開口部を有するハウジングであって、前記開口部が皮膚の一領域と当接する時に空気を密閉するような空洞部が形成されるハウジングと、
前記ハウジングの中に取り付けられ、毛髪の少なくともある部分の少なくとも一部分を除去するのに充分な温度に前記空気を迅速加熱し、それと同時に、皮膚の温度を前記皮膚の凝固温度以下に保つ、オンオフ自在な熱源と、
前記熱源を制御して賦活させる動力源と、
を備えた皮膚の一領域から毛髪を除去する装置であって、
前記熱源と開口部との間に熱勾配が生じ、その熱勾配が、熱源において最初比較的高温であり、空洞部において、開口部に向かって徐々に比較的低温となる装置。
【請求項２】 前記熱源により、毛嚢に向かう毛髪の長さ方向に沿った熱伝導によって前記毛髪を死滅させるに充分な温度に加熱する、請求項１に記載の装置。
【請求項３】 前記空洞部がシーリングされた空洞部である、請求項１または請求項２に記載の装置。
【請求項４】 前記熱源がパルス光を発生して皮膚の前記の領域を照射し、その光は毛髪を死滅させるほどのエネルギーを有していない、上記の請求項のいずれかに記載の装置。
【請求項５】 パルス光が広帯域パルス光である、請求項４に記載の装置。
【請求項６】 前記熱源と前記開口部との間に配置されて前記広帯域パルス光のあらかじめ設定された部分をフィルタリングするフィルターを備えた、請求項４または請求項５に記載の装置。
【請求項７】 前記熱源がフラッシュランプまたはアーク放電ランプである、上記の請求項のいずれかに記載の装置。
【請求項８】 前記フラッシュランプは少なくとも１つのガラスキセノンランプを有している、請求項７に記載の装置。
【請求項９】 前記フラッシュランプは少なくとも１つのクォーツキセノンフラッシュランプを有している、請求項７に記載の装置。
【請求項１０】 少なくとも１つのフラッシュランプが少なくとも２つのランプを直列に備えている、請求項８または請求項９に記載の装置。
【請求項１１】 前記ハウジングがさらに前記ハウジングの開口部の外縁に沿って取り付けられたシーリングガスケットを備えている、上記の請求項のいずれかに記載の装置。
【請求項１２】 前記空洞部と連絡する出入口を有するポンプを備えた、上記の請求項のいずれかに記載の装置。
【請求項１３】 前記コントローラーは前記熱源賦活後所定時間、前記ポンプを駆動して前記空洞部内の空気を交換する、請求項１２に記載の装置。
【請求項１４】 ポンプが駆動している時に前記空洞内の空気を交換するための、少なくとも１つのバルブを備えた、請求項１３に記載の装置。
【請求項１５】 前記開口部の位置に皮膚より少なくとも一部の毛髪を直立させる毛髪整列部材を有している、上記の請求項のいずれかに記載の装置。
【請求項１６】 前記毛髪整列部材は波長４００ｎｍ以下の光をほとんど遮蔽し、波長４５０ｎｍ以上の光をほとんど通す材料にて形成されている、請求項１５に記載の装置。
【請求項１７】 前記熱源で発生した光を皮膚に向かうように反射する反射部材を有している、上記の請求項のいずれかに記載の装置。
【請求項１８】 前記反射部材は波長４００ｎｍ以下の光をほとんど吸収する、請求項１７に記載の装置。
【請求項１９】 延長部材を有し、前記延長部材は前記開口部に取付自在の第１端と、皮膚の一領域と当接させることができる第２端を有し、前記延長部材はそれを通じて脱毛領域を決定するアパーチャを備えている、上記の請求項のいずれかに記載の装置。
【請求項２０】 本装置は手のひらに収まる、上記の請求項のいずれかに記載の装置。
【請求項２１】 皮膚の一領域には複数の毛髪が含まれ、前記複数の毛髪のそれぞれは前記皮膚領域内の毛嚢の中に収められた第１部位と、前記皮膚領域より遠位の第２部位を有し、
前記皮膚領域にかぶせられる空洞部を提供し、前記空洞部はその第１端が前記皮膚領域の近位にあり、その第２端は前記皮膚領域から遠位にあり、空気を有し、
空洞内の空気を加熱して、前記空気中において前記第１端が第１の温度で第２の温度が第１端から離れて位置する熱源内のものであり、第１の温度は第２の温度よりも低くなるような温度勾配を生成し、
前記複数の毛髪の少なくともある部分の少なくとも一部分を除去するのに充分な温度にまで、前記空気中に入り込んでいる前記複数の毛髪のある部分を加熱するのに充分な時間、前記温度勾配を維持し、それと同時に、前記第１の温度を前記皮膚領域の凝固温度以下に保つ、
皮膚の一領域から毛髪を除去する方法。
【請求項２２】 前記空洞部は空気が密封された空洞部である、請求項２１に記載の方法。
【請求項２３】 皮膚の温度を凝固点より低く保つために、前記温度勾配を調整した後に前記空気の熱を除去することを含む、請求項２１または請求項２２に記載の方法。
【請求項２４】 前記熱を除去することは、前記空洞部の空気を冷却することを含む、請求項２３に記載の方法。
【請求項２５】 前記空気の冷却は前記空洞部から空気を除去することを含む、請求項２４に記載の方法。
【請求項２６】 前記加熱は、パルス放電を含む、請求項２１から請求項２５のいずれかに記載の方法。
【請求項２７】 前記加熱はフラッシュランプやアーク放電ランプによりパルス光を発生させることを含む、請求項２１から請求項２６のいずれかに記載の方法。
【請求項２８】 パルス光にて皮膚の一領域を照射して少なくとも一部の毛髪の第１部位および少なくとも一部の毛髪の毛嚢を血液の凝固温度よりも低い第１の温度に上昇させる請求項２１から請求項２７のいずれかに記載の方法。
【請求項２９】 前記パルス光は広帯域パルス光である、請求項２８に記載の方法。
【請求項３０】 前記パルス光は前記広帯域パルス光の所定の部分を除去するようにフィルタリングされる、請求項２９に記載の方法。
【請求項３１】 温度勾配の調整が、選択的に前記複数の毛髪の少なくとも１本の第２部位の一部分を加熱し、
熱を前記第２部位から前記複数の毛髪の少なくとも１本の毛嚢へ伝導させ、前記毛嚢に血液を供給している毛細血管を凝固させるのに充分な温度に毛嚢を加熱する、請求項２１から請求項３０のいずれかに記載の方法。
【請求項３２】 前記選択的な加熱は、毛髪の熱伝導によって加熱される毛髪に極近の部分を除き、少なくとも１本の毛髪の第２部位の近傍の空気の温度が高く、皮膚近傍の空気の温度が血液の凝固温度よりも低くなるような温度勾配を生じることから成る、請求項２１から請求項３１のいずれかに記載の方法。
【請求項３３】 前記空気の加熱は、フラッシュランプまたはアーク放電ランプの皮膚よりある程度離れた位置での点灯を含む、請求項２１から請求項３２のいずれかに記載の方法。
【請求項３４】 開口部を備えたハウジングであって、前記開口部が皮膚の一領域と当接するときに空気を密閉するような空洞部が形成されるハウジングと、
前記ハウジングの中に取り付けられ、前記毛髪を死滅させるに充分なエネルギーを供給するオンオフ自在なエネルギー源と、
前記熱源を制御して賦活させる動力源と、
前記空洞部と連絡する出入口を有するポンプと、
を備えた皮膚の一領域から毛髪を除去する装置。
【請求項３５】 ポンプを駆動して前記空洞部を減圧し、少なくとも一部分の毛髪を皮膚から持ち上げるコントローラーを有する、請求項３４に記載の装置。
【請求項３６】 前記コントローラーは少なくとも一部の本数の毛髪を持ち上げた後に、前記エネルギー源を賦活させる、請求項３５に記載の装置。
【請求項３７】 前記エネルギー源賦活後所定時間、前記ポンプを駆動して前記空洞部内の空気を交換するコントローラーを有する、請求項３３から請求項３６のいずれかに記載の装置。
【請求項３８】 ポンプが駆動している時に前記空洞内の空気を交換するための、少なくとも１つのバルブを備えた、請求項３７に記載の装置。
【請求項３９】  前記少なくとも１つのバルブが少なくとも１つの逆止め弁であり、前記少なくとも１つの逆止め弁は前記ポンプが駆動して前記空洞部より空気を吸い出すときに、前記空洞内に空気が流入することを可能とする、請求項３８に記載の装置。
【請求項４０】 前記ポンプは空気を所定時間前記空洞部に注入する、請求項３８または請求項３９に記載の装置。
【請求項４１】 携帯型のハンドヘルドの、開口部を含むハウジングとハウジング内に配置されたオンオフ自在の熱源と熱源を励起する動力源を備えた、毛髪除去装置によって熱を供給し、
前記の熱は、皮膚のある領域と開口部を合わせて形成される空洞部内の所定量の空気に、温度勾配を形成し、その温度勾配は毛髪を除去するのに適していることを特徴とする、
手動操作にて毛髪を除去する方法。
【請求項４２】 操作者自身の皮膚上で熱の供給が行われる、請求項４１に記載の方法。
【請求項４３】 さらに手動操作によって皮膚のある領域からハウジングの開口部を取り外すことを含む、請求項４１または請求項４２に記載の方法。